(57)【要約】【課題】  録画された多数の番組から、使用者が閲覧を希望する番組を容易に特定することができる画像録画装置を提供する。【解決手段】  本発明の画像記録装置では、レコーダ２０の内部に蓄積された番組情報を閲覧する際に、番組を示す情報を表示部３１にシンボルとして表示している。具体的には、先ず、番組情報の時間情報および属性情報を基に、番組情報を複数のグループに分類し、このグループをシンボルとして表示部３１に表示している。ここでは、シンボルとしてドーナツグラフを採用している。そして、表示部３１に於けるシンボルの位置に関する情報が、グループの時間情報および属性情報に関連している。従って、使用者は、レコーダ２０に蓄積された番組情報を容易に認識することができる。【選択図】  図１
2007116249.tif 000002
【特許請求の範囲】
【請求項１】
番組の画像情報と、前記番組が放送された時間に関する時間情報と、前記番組の属性を示す属性情報とから成る番組情報を記録する記録手段と、
前記時間情報および前記属性情報を基に前記番組情報を複数のグループに分類する分類手段と、
前記記録手段に記録された前記番組に関する情報を表示する表示手段とを備え、
前記表示手段では、前記グループがシンボルにて示され、
前記表示手段に於ける前記シンボルの位置が、前記グループに含まれる前記時間情報および前記属性情報に関連することを特徴とする画像記録装置。
【請求項２】
前記シンボルの色または模様が、前記グループに含まれる前記番組情報の数に関連することを特徴とする請求項１記載の画像記録装置。
【請求項３】
前記シンボルは、前記表示手段の一地点を中心に配置され、
前記一地点から前記シンボルまでの距離が、前記グループに含まれる前記番組情報の前記時間情報と関連することを特徴とする請求項１記載の画像記録装置。
【請求項４】
前記シンボルは、前記表示手段の一地点を中心に配置され、
前記一地点を中心に描いた円上に於ける前記シンボルの位置が、前記グループの属性に関連することを特徴とする請求項１記載の画像記録装置。
【請求項５】
前記シンボルは、前記表示手段に表示されるドーナツグラフの一領域として表示されることを特徴とする請求項１記載の画像記録装置。
【請求項６】
前記分類手段が前記番組情報を分類する際に、基準となる期間を変更する期間変更手段を具備することを特徴とする請求項１記載の画像記録装置。
【請求項７】
前記表示手段は、リモコン装置に設けた表示部であることを特徴とする請求項１記載の画像記録装置。
【請求項８】
使用者の嗜好に応じて前記番組の録画を行う録画手段を具備することを特徴とする請求項１記載の画像記録装置。
【請求項９】
前記録画手段は、前記記録手段に記録された前記番組情報、または、使用者の使用履歴を基に、前記番組を記録することを特徴とする請求項８記載の画像記録装置。
【請求項１０】
前記録画手段は、使用者に応じて異なる前記番組を録画することを特徴とする請求項８記載の画像記録装置。
【請求項１１】
前記表示手段では、複数の軸を有するグラフの内部に前記シンボルが表示され、
前記グラフの軸の一つは前記時間情報に関連することを特徴とする請求項１記載の画像記録装置。
【請求項１２】
使用者により視聴される番組を選択する番組選択手段と、
選択された前記番組を操作する視聴番組操作手段と、
前記視聴番組操作手段が前記番組を操作した操作時間を記録する時間記録手段と、
前記操作を、嗜好の度合いを示す嗜好係数に換算する嗜好度換算手段と、
前記番組選択手段、前記嗜好度換算手段および前記時間記録手段の出力に基づいて番組の嗜好値を算出する嗜好値算出手段と、
前記嗜好値を用いて入手した番組情報に基づいて番組が記録される記録手段とを具備することを特徴とする画像記録装置。
【請求項１３】
前記嗜好値算出手段では、前記番組毎に、前記嗜好値を累積させること特徴とする請求項１２記載の画像記録装置。
【請求項１４】
前記嗜好値に基づいて、使用者の嗜好に近似した前記番組情報が外部にて検索されることを特徴とする請求項１２記載の画像記録装置。
【請求項１５】
前記嗜好度換算手段は、使用者の脈拍または血圧の情報に基づいて、前記嗜好係数を算出することを特徴とする請求項１２記載の画像記録装置。
【請求項１６】
前記番組情報は外部に位置するサーバに格納され、
前記サーバ内部で、前記使用者の嗜好に近似した前記番組情報が検索されることを特徴とする請求項１２記載の画像記録装置。
【発明の詳細な説明】
【技術分野】
【０００１】
本発明は画像記録装置に関し、特に、内部に蓄積された番組に関する情報を表示する表示部を有する画像記録装置に関する。
【背景技術】
【０００２】
従来に於いて、テレビ番組の録画の予約は、新聞等の印刷物などを使用者が参照して行われていた。また、いわゆるＧコードを用いると、番組の予約を比較的簡単に行うことができた。しかしながら、これらの予約方法は、予約時間等の手入力が必要とされ、非常に煩雑なものであった。
【０００３】
近年では、番組予約表は、インターネットまたは番組放送の補助チャンネル等を用いて電送されている。この番組予約表として代表的なものに、ＥＰＧ（Electronic Program Guide）がある。このＥＰＧを用いると、直接的に目的の番組を指定することができ、番組の閲覧や録画が容易になる。
【０００４】
また、放送された番組を録画する記録装置としては、ＶＨＳ（Video Home System）、ＤＶＤ（Digital Versatile Disc）、ＨＤＤ（Hard Disk Drive）等を用いた装置が用いられる。特に、容量が数百ＧバイトのＨＤＤを具備する記録装置（ＨＤＤレコーダ）では、多数個の番組を録画することができる。
【０００５】
しかし、印刷物を用いた場合も、ＥＰＧを用いた場合も、番組を録画するためには番組を選択するための使用者による入力が必須であったので、更に使用者が簡単に番組を録画できる装置が望まれていた。
【０００６】
そこで、使用者の嗜好に合った番組の情報を検索する装置が開発されている（特許文献１）。
【０００７】
図７に、上記特許文献１に記載された放送受信装置１００の概要を示す。放送受信装置１００は、チューナー部１０１、ＡＶ処理部１０６、記録再生部１０２、ＥＰＧ取得部１０４、受信処理部１０５、履歴処理部１０７、蓄積装置１０８、嗜好度演算部１０３から成る。モニタ２００には、放送受信装置１００により処理された映像が映し出される。また、リモコン装置３００からは、放送受信装置１００を操作するための信号が、受信処理部１０５に発信される。
【０００８】
上記構成を具備する放送受信装置１００の動作は次の通りである。先ず、蓄積装置１０８には、記録再生部１０２、ＥＰＧ取得部１０４、履歴処理部１０７等からの情報が記録される。更に、嗜好度演算部１０３は、蓄積装置１０８に蓄積された情報に基づいて、モニタ２００に使用者が速やかに選択できるように誘導する表示を行うようにしている。
【０００９】
上記した放送受信装置により、使用者は、番組の閲覧や録画予約を簡単に行うことができる。
【特許文献１】特開２００３−１１０９６０号公報
【発明の開示】
【発明が解決しようとする課題】
【００１０】
しかしながら、上記放送受信装置を用いて録画された多数の番組の中から、使用者が閲覧を希望する番組を特定するのが困難である問題があった。具体的には、上記したＨＤＤレコーダでは、例えば数百個の番組を記録することが可能である。更に、上記した特許文献１記載された技術等により、番組の録画予約は容易に成っているので、より多数個の番組が記録装置に録画される傾向にある。このことから、リモコン装置３００の表示部に録画された番組を項目表示されると、数百個程度の多数個の番組名等が表示される。従って、これらの項目の中から、特定の番組を選択することが、使用者に対する大きな負担と成っていた。特に、リモコン装置３００に設けられる表示部は小さいので、多数個の番組情報をこの表示部に項目表示すると、所望する番組の選択が困難になる。
【００１１】
更に、背景技術では、装置に組み込まれた嗜好演算部により選択された番組のみが録画されるので、使用者の嗜好に近い番組は録画されない問題があった。
【００１２】
更にまた、実際の使用状況下に於いては、１台の録画装置を複数の使用者が使用する。従って、録画装置の使用履歴に基づいて嗜好を得た場合、多数の使用者の履歴が反映された嗜好により録画が行われる。このことから、特定の使用者の嗜好に沿わない番組が、録画装置に録画されてしまう問題があった。
【００１３】
本発明は上述した問題点を鑑みて成されたものである。本発明の主な目的は、録画された多数の番組から、使用者が閲覧を希望する番組を容易に特定することができる画像記録装置を提供することにある。
【課題を解決するための手段】
【００１４】
本発明の画像記録装置は、番組の画像情報と、前記番組が放送された時間に関する時間情報と、前記番組の属性を示す属性情報とから成る番組情報を記録する記録手段と、前記時間情報および前記属性情報を基に前記番組情報を複数のグループに分類する分類手段と、前記記録手段に記録された前記番組に関する情報を表示する表示手段とを備え、前記表示手段では、前記グループがシンボルにて示され、前記表示手段に於ける前記シンボルの位置が、前記グループに含まれる前記時間情報および前記属性情報に関連することを特徴とする。
【００１５】
更に、本発明の画像記録装置は、前記シンボルの色または模様が、前記グループに含まれる前記番組情報の数に関連することを特徴とする。
【００１６】
更に、本発明の画像記録装置は、前記シンボルは、前記表示手段の一地点を中心に配置され、前記一地点から前記シンボルまでの距離が、前記グループに含まれる前記番組情報の前記時間情報と関連することを特徴とする。
【００１７】
更に、本発明の画像記録装置は、前記シンボルは、前記表示手段の一地点を中心に配置され、前記一地点を中心に描いた円上に於ける前記シンボルの位置が、前記グループの属性に関連することを特徴とする。
【００１８】
更に、本発明の画像記録装置は、前記シンボルは、前記表示手段に表示されるドーナツグラフの一領域として表示されることを特徴とする。
【００１９】
更に、本発明の画像記録装置は、前記分類手段が前記番組情報を分類する際に、基準となる期間を変更する期間変更手段を具備することを特徴とする。
【００２０】
更に、本発明の画像記録装置は、前記表示手段は、リモコン装置に設けた表示部であることを特徴とする。
【００２１】
更に、本発明の画像記録装置は、使用者の嗜好に応じて前記番組の録画を行う録画手段を具備することを特徴とする。
【００２２】
更に、前記録画手段は、前記記録手段に記録された前記番組情報、または、使用者の使用履歴を基に、前記番組を記録することを特徴とする。
【００２３】
更に、本発明の画像記録装置は、前記録画手段は、使用者に応じて異なる番組を前記録画することを特徴とする。
【００２４】
更に、本発明の画像記録装置は、前記表示手段では、複数の軸を有するグラフの内部に前記シンボルが表示され、前記グラフの軸の一つは前記時間情報に関連することを特徴とする。
【００２５】
更に、本発明の画像記録装置は、使用者により視聴される番組を選択する番組選択手段と、選択された前記番組を操作する視聴番組操作手段と、前記視聴番組操作手段が前記番組を操作した操作時間を記録する時間記録手段と、前記操作を、嗜好の度合いを示す嗜好係数に換算する嗜好度換算手段と、前記番組選択手段、前記嗜好度換算手段および前記時間記録手段の出力に基づいて番組の嗜好値を算出する嗜好値算出手段と、前記嗜好値を用いて入手した番組情報に基づいて番組が記録される記録手段とを具備することを特徴とする。
【００２６】
更に、本発明の画像記録装置では、前記嗜好値算出手段では、前記番組毎に、前記嗜好値を累積させること特徴とする。
【００２７】
更に、本発明の画像記録装置では、前記嗜好値に基づいて、使用者の嗜好に近似した前記番組情報が外部にて検索されることを特徴とする。
【００２８】
更に、前記嗜好度換算手段は、使用者の脈拍または血圧の情報に基づいて、前記嗜好係数を算出することを特徴とする。
【００２９】
更に、本発明の画像記録装置では、前記番組情報は外部に位置するサーバに格納され、前記サーバ内部で、前記使用者の嗜好に近似した前記番組情報が検索されることを特徴とする。
【発明の効果】
【００３０】
本発明によると、録画装置に録画された多数個の番組がグループ化され、このグループがシンボルにより表示されるので、使用者は、記録装置に記録された番組の概要を容易に知ることができる。更には、使用者による番組の特定を容易にすることができる。具体的には、録画された番組は、この番組の属性および録画された時間を基準にして、複数個のグループに分類される。そして、このグループは表示手段にシンボルとして表示される。また、表示手段内に於けるシンボルの位置は、グループに含まれる番組の放送時間および属性に関連している。従って、使用者は、シンボルを確認することにより、録画された番組に関する情報を容易に知ることができる。
【００３１】
更に、本発明によると、インターネット等の通信回線を用いて、類似した嗜好を有する他の使用者から番組に関する情報を入手することができる。従って、使用者が好む番組をより多く得ることができる。
【００３２】
更に、本発明によると、複数の使用者が１つの録画装置を使用した場合でも、各々の使用者の嗜好に沿って番組を録画することができる。従って、使用者の好みがより正確に反映された番組が録画される。
【００３３】
更に本発明によれば、番組毎に、その番組の嗜好の度合いを示す嗜好値を算出し、この嗜好値に基づいて、番組情報を検索する。従って、使用者の嗜好にあった番組情報を得ることができる。
【発明を実施するための最良の形態】
【００３４】
＜第１の実施の形態＞
本形態では、図１および図２を参照して、画像記録装置であるレコーダ２０に記録された番組情報を、リモコン装置３０の表示部３１に表示する構成を説明する。
【００３５】
図１（Ａ）を参照して、本形態の画像記録装置は、モニタ１０と、レコーダ２０と、リモコン装置３０とを具備している。本形態に於いては、リモコン装置３０の表示部３１に、レコーダ２０に記録された番組に関連する情報が表示されるが、この情報は他の機器に備えられた表示部に表示されても良い。即ち、レコーダ２０自身に設けられた表示部に、レコーダ２０に記録された番組に関連する情報が表示されても良い。更には、レコーダ２０に記録された番組に関連する情報は、モニタ１０に表示されても良い。
【００３６】
モニタ１０は、ＣＲＴ（Cathode Ray Tube）、液晶ディスプレイ、プラズマディスプレイ、有機ＥＬ（Electro Luminescence）ディスプレイ等を具備し、レコーダ２０に記録された番組情報を表示する機能を有する。また、モニタ１０は、レコーダ２０を経由せずに、テレビ放送を外部から受信して表示することもできる。
【００３７】
レコーダ２０は、放送電波として入力される番組の情報（番組情報）を記憶する機能を有する。更には、レコーダ２０は、記録された番組情報を、モニタ１０に映し出す機能も有する。また、レコーダ２０は、ＥＰＧ情報を取得する機能、リモコン装置３０と通信する機能も有する。
【００３８】
番組情報を記録するためにレコーダ２０に内蔵される記録媒体（記録手段）としては、ＨＤＤ、ＤＶＤ、半導体メモリまたは、ビデオデープを用いることができる。また、これらの媒体の複数個がレコーダ２０に内蔵されても良い。これらの媒体の中でも特にＨＤＤは、記憶容量が例えば２００Ｇバイトと非常に大きく、アクセス速度も速いので、レコーダ２０に内蔵される記録媒体として好適である。
【００３９】
リモコン装置３０は、レコーダ２０の機能を制御する機能を有する。使用者がリモコン装置３０の操作ボタンを押下することにより、レコーダ２０を操作することができる。リモコン装置３０とレコーダ２０との通信は、Ｂｌｕｅｔｏｏｔｈ（登録商標）やＩｒＤＡ等の通信規格を用いることができる。
【００４０】
表示部３１（表示手段）は、液晶、有機ＥＬ等の薄型のディスプレイから成り、レコーダ２０に関連する情報が表示される。例えば、レコーダ２０の動作状況、レコーダ２０に内蔵された番組に関する情報等が、表示部３１に表示される。本形態に於いては、レコーダ２０に記録された番組情報を示すシンボルが、表示部３１に表示される。
【００４１】
図１（Ｂ）を参照して、レコーダ２０に記録された番組情報を、リモコン装置３０の表示部３１に表示する方法を説明する。
【００４２】
本形態では、レコーダ２０に記録された番組情報は、その番組が記録された時間および属性に基づいて、分類手段により複数のグループに分類される。そして、これらのグループはシンボルとして表示部３１に表示されている。ここで、シンボルとは、ある情報を抽象化して図形にしたものである。
【００４３】
この図では、シンボルを用いた表示方法として、ドーナツグラフが採用されている。換言すると、レコーダ２０に内蔵された番組情報は、ドーナツグラフの一領域として表示部３１に表示されている。ドーナツグラフを構成している個々の領域が、グループを示すシンボルである。
【００４４】
ドーナツグラフの中心と各領域との距離が、各グループに属する番組が記録された時間を示している。即ち、新しい番組が属するグループを示す領域は、グラフの中心付近に配置される。ここでは、各グループは、今日、一日前、２日前の３つに分類されて、中心部付近から周辺部に向かって配置されている。
【００４５】
また、ドーナツグラフの中心から描いた円上に於ける各領域の位置が、各領域が示すシンボルの属性を示している。ここでは、各領域の位置は、そのジャンルを示している。具体的には、ドラマ、映画、演劇、アニメ、ニュース、情報、教育、その他の８個のジャンルに分けられている。
【００４６】
更に、ドーナツグラフを構成する各領域の色は、その領域に属するグループに含まれる番組の数に関連している。ここでは、多数個の番組が含まれるグループが表示される領域の色を濃く、小数の番組が含まれるグループが表示される領域の色を薄く表示している。さらには、色の濃淡に替えて、色彩（例えば赤と青）やハッチング等を用いても良い。
【００４７】
ドーナツグラフの中央には、カーソルが位置している領域のグループの詳細が文字にて示されている。ここでは、カーソルが指している領域のグループには２つの番組が含まれ、使用者が未だその番組を閲覧していないことが文字にて表示されている。
【００４８】
表示部３１に於いて、ドーナツグラフの右側には、番組をグループに分ける際の基準となる時間が表示されている。具体的には、「１日」、「１週間」、「１ヶ月」、「３ヶ月」、「曜日」、「すべて」が表示されている。ここでは、基準として１日が選択され、レコーダ２０に内蔵された番組情報は、１日ごとにグループ分けされ、各グループがドーナツグラフを構成する一領域（シンボル）として表示されている。例えば、番組情報をグループ化する基準として１週間が選択された場合は、レコーダ２０に内蔵された番組情報が、１週間毎にグループ分けされ、新たにドーナツグラフが表示される。また、ドーナツグラフに表示されている「今日」、「１日前」、「２日前」に替えて、「今週」、「１週間前」、「２週間前」が表示される。
【００４９】
上記した基準となる時間の切り替えは、表示部３１の周辺部に設けられた操作ボタンを使用者が押下することにより行われる。または、表示部３１をタッチパネルにて構成し、表示部を使用者が直に押下するようにしても良い。
【００５０】
図２を参照して、上記したように表示部３１に表示を行うために構成された、リモコン装置３０およびレコーダ２０の電気的構成を、その動作と共に説明する。図２（Ａ）はリモコン装置３０およびレコーダ２０の電気的な構成を示す図であり、図２（Ｂ）は番組情報を示す図である。
【００５１】
リモコン装置３０は、リモコン操作部３２と、期間変更部３８と、表示部３１と、分類部３７と、通信部３５と、表示制御部３９とを具備する。そして、レコーダ２０は、記憶部２２と第１通信部２１とから成る。
【００５２】
図２（Ａ）を参照して、使用者がリモコン装置３０を操作してから、レコーダ２０に内蔵された番組情報がシンボルとして表示部３１に表示されるまでの動作は次の通りである。
【００５３】
使用者がリモコン操作部３２を操作することにより、レコーダ２０に内蔵された情報の表示を要求すると、リモコン装置３０の通信部３５から、レコーダ２０の第１通信部２１に信号が出力される。
【００５４】
レコーダ２０内部では、第１通信部２１からの要求に応じて、ＨＤＤ等である記憶部２２に記憶された番組情報が第１通信部２１に出力される。記憶部２２には、例えば数百個の番組情報が記憶されている。
【００５５】
ここで、図２（Ｂ）を参照して番組情報は、時間情報と、属性情報と、画像情報とから成る。時間情報には、その番組が録画され始めた時間と、録画を終了した時間が含まれる。属性情報には、例えば、番組タイトル、番組ジャンル、番組出演者、番組の概要等が含まれる。この属性情報は、ＥＰＧ等を用いて取得可能である。画像情報は、動画像の情報であり、例えばＭＰＥＧ−２（Moving Picture Experts Group 2）の形式にて圧縮して保存されている。
【００５６】
レコーダ２０に内蔵された番組情報は、第１通信部２１を経由して、リモコン装置３０の通信部３５に送られる。そして、番組情報は分類部３７に送られる。
【００５７】
分類部３７では、各番組情報の時間情報および属性情報を基に、番組を複数のグループにグループ分けする。例えば、分類部３７では、図１（Ｂ）に示すように、基準となる８個のジャンルを設定して、全ての番組情報を、各番組情報の属性情報（番組ジャンル）を基に８種類のグループに分類する。更に、分類の基準となる時間幅を設定して、全ての番組情報を、各番組情報の時間情報を基に、３種類のグループに分類する。以上の分類作業を行うことにより、合計で２４個のグループが形成される。分類部３７により得られた結果は、表示制御部３９に伝えられる。
【００５８】
表示制御部３９では、分類された各グループを、シンボルとしてドーナツグラフで表示するための処理が行われる。最後に、表示部３１では、表示制御部３９の出力に基づいて、図１（Ｂ）に示すような表示が行われる。
【００５９】
また、使用者が、各番組情報を分類する時間幅の変更を指示した場合は、リモコン操作部３２の出力に基づいて、期間変更部３８がグループ分けを行う際の時間幅を変更する。そして、分類部３７は、新たな時間幅（例えば１週間毎）にてグループ分けを行い、その結果は、表示制御部３９に出力され、表示部３１の表示が更新される。
【００６０】
更にまた、ドーナツグラフの特定の領域が使用者により選択された場合は、その領域に属する番組情報が表示部３１に文字にて項目表示される。
【００６１】
本形態では、番組情報を示すシンボルとしてドーナツグラフを用いて表示したので、使用者は番組情報を視覚的に理解することができる。また、レコーダ２０に記憶される番組の数が数百程度以上に増加しても、ドーナツグラフを用いて表示することにより、使用者に対する負担は増加しない。また、番組情報をシンボルとしてグラフ化して表示することにより、全ての番組情報を項目表示させる場合と比較すると、使用者が所望する番組を素早く表示させることができる。
【００６２】
上記した実施の形態は、例えば以下のように変更可能である。
【００６３】
上記の説明では、表示部３１に表示される情報の殆どは、リモコン装置３０により処理されていたが、この処理の一部あるいは全部をレコーダ２０側で行っても良い。
【００６４】
更に、上記した表示方法は、使用者がキーワード検索等を行った場合でも適用可能である。この場合は、キーワードに該当する番組のみが抽出され、抽出された番組を示すシンボルが、ドーナツグラフとして表示部３１に表示される。
【００６５】
更に、上記した表示方法は、使用者が録画予約を行う場合でも適用させることができる。この場合は、ＥＰＧに基づいた情報が表示部３１に表示される。
【００６６】
上記の説明では、表示部３１にドーナツグラフが表示されているが、他のグラフにてシンボルを表示させることもできる。例えば、直行座標を用いたグラフの内部にシンボルを表示させても良い。この場合は、例えば、縦軸がグループに含まれる番組のジャンルを示し、横軸がグループに含まれる番組の経過時間を示すようにすればよい。
【００６７】
＜第２の実施の形態＞
本形態では、図３を参照して、使用者の嗜好に応じて番組を録画するリモコン装置３０およびレコーダ２０の構成を主に説明する。従来は、番組の録画は使用者の操作に従って行われるが、本形態に於いてはリモコン装置３０の操作履歴等から得られた嗜好に基づく情報を用いて、自動的に録画が行われる。
【００６８】
図３を参照して、使用者の嗜好を解析して番組の録画を行うリモコン装置３０およびレコーダ２０の電気的な構成を示す。
【００６９】
リモコン装置３０は、リモコン操作部３２、操作監視部３３、嗜好判定部３４、番組記憶部３６、通信部３５、表示部３１から成る。また、レコーダ２０は、第１通信部２１、第２通信部２４、制御部２３、記憶部２２から成る。
【００７０】
ユーザーの嗜好を抽出する方法としては、数種類の方法が考えられる。例えば、リモコン装置３０やレコーダ２０の使用者の操作履歴から嗜好を抽出する方法がある。また、レコーダ２０に蓄積された番組情報から、使用者の嗜好を抽出する方法もある。以下では、使用者のリモコンの操作履歴から嗜好を抽出する方法を説明する。
【００７１】
先ず、使用者は、リモコン操作部３２を操作して、レコーダ２０に記録された番組を再生する。その際に、操作監視部３３は、使用者のリモコン操作部３２の操作を監視し、この情報を嗜好判定部３４に入力する。
【００７２】
嗜好判定部３４では、操作監視部３３から入力された情報を解析して、再生されている番組が、使用者の嗜好に合っているかどうかの判断を行う。
【００７３】
例えば、番組の再生中に使用者が以下の動作を示したら、嗜好判定部３４は、その番組は使用者の嗜好に合っているものと見なす。
・指定した番組を最後まで見る。
・途中でスキップしても、指定した番組を最後まで見る。
・指定した番組の途中の箇所を何度も見直す。
・指定した番組を最後まで見なくても、他の番組を見た後で、指定した番組に戻ってみる。
・一日、または一週間の中で、比較的長い時間番組を見ている時間帯を抽出して、その時間帯に見た番組を抽出する。
・音量の変化で判断する。例えば、音量を上げる。
【００７４】
更には、使用者が番組を録画するために入力する情報（例えば、番組の開始時間、テレビ局名、番組のジャンル等）を基に、嗜好判定部３４は、使用者の嗜好を解析する。
【００７５】
嗜好判定部３４は、知識ベース型、ファジィ型、学習型のいずれかのシステムが採用されてもよいし、これらを２つ以上組み合わせて構成されても良い。
【００７６】
知識ベース型では、最新の統計から使用者の嗜好を検索される。最新の情報の数が多ければ、検索結果の確度が上がる。しかしながら、使用する人の環境が特定していないと、結果がばらばらになる欠点がある。
【００７７】
ファジィ型では、どの検索結果にも、確度を示す確度数値を持っており、この確度数値は、指定した検索条件を演算（例えば加算など）して、検査結果の順位が決められる。この確度は、過去の統計を基にして作成される。ファジィ型は、最新の統計を取得できない状況下に使用され、過去の統計が参考にされる。
【００７８】
学習型は、使用者が、最新に使用した検索条件を優先する方法であり、使用者の環境が容易に反映される。また、学習型では、使用している使用者の個性が反映されるため、検索者に欠けている情報の対応が取れない欠点がある。
【００７９】
嗜好判定部３４により、使用者の嗜好に合っていると判定された番組に関連する情報は、例えば予約情報１として、番組記憶部３６に保存される。更に、予約情報１は、表示部３１に表示される。ここで、予約情報１とは録画されるべき番組の番組情報の集合体である。
【００８０】
予約情報１は、通信部３５および第１通信部２１を介して、レコーダ２０に入力される。そして、予約情報１に基づいて、放送される番組が録画され、録画された番組情報は記憶部２２に保存される。ここで、番組情報は、アンテナ等を含む第２通信部２４から記憶部２２に入力される。
【００８１】
上記した本形態により、番組を録画するための操作を行わなくても、操作監視部３３および嗜好判定部３４により使用者の嗜好が反映された予約情報１が生成され、この予約情報１に基づいて番組が録画される。従って、使用者の嗜好に基づいて自動的に番組が録画されるので、使用者に対する負担を軽減することができる。
【００８２】
更に、本形態では、番組記憶部３６の内部に複数の予約情報が保存されている。具体的には、番組記憶部３６には、予約情報１、予約情報２および予約情報３が記憶されている。更に、これらの予約情報は、使用者がリモコン操作部３２を操作することにより、切り替えることができる。
【００８３】
実際の使用状況下では、１つのレコーダ２０やリモコン装置を、嗜好が異なる複数の使用者が利用する。従って、異なる嗜好を１つの予約情報に集約すると、個々の使用者の嗜好が正確に反映された予約情報が生成されない。番組記憶部に複数の予約情報を設けて、この予約情報を使用者に応じて切り替えることにより、使用者によって異なる嗜好情報が、１つの予約情報に混在してしまうことを防止することができる。
【００８４】
＜第３の実施の形態＞
本実施の形態では、図４および図５を参照して、レコーダ２０およびサーバ５０の構成および動作を説明する。本形態では、外部に位置するサーバ５０から情報を入手して、入手した情報を用いてレコーダ２０が番組を録画する。
【００８５】
図４を参照して、レコーダ２０とサーバ５０とは、例えば、電子メールやインターネット等の電話通信回線を用いて、相互に接続されている。
【００８６】
レコーダ２０は、第１通信部２１、記憶部２２、予約部２６、制御部２３、第２通信部２４とを含む。予約部２６には、予約情報１等が保存されている。これらの予約情報は、使用者の嗜好に基づいて録画される番組に関連する情報である。これらの情報を取得する方法は、上述した第２の実施の形態と同様である。第２通信部２４から入力される番組情報は、予約情報１等に基づいて、記憶部２２に記憶される。また、これらの予約情報は、第１通信部２１から、外部に位置するサーバ５０に電送される。
【００８７】
サーバ５０は、複数の使用者のレコーダから予約情報を入手し、それらの予約情報を相互に比較し、その結果をレコーダ２０にフィードバックさせる機能を有する。サーバ５０は、通信部５４と、情報記憶部５１と、第１比較部５２と、第２比較部５３とを具備する。情報記憶部５１には、複数のレコーダから収集された予約情報等が保存される。第１比較部５２は、類似する嗜好を有する使用者を探し出すために、各予約情報同士を比較する機能を有する。第２比較部５３は、嗜好が類似する予約情報同士の相違点を探し出すために、各予約情報を比較する機能を有する。
【００８８】
レコーダ２０およびサーバ５０の動作は次の通りである。先ず、使用者の嗜好に基づく予約情報が、レコーダ２０の第１通信部２１からサーバ５０の通信部５４に入力される。サーバ５０には多数のレコーダ２０から予約情報が入力され、情報記憶部５１に保存される。各々の予約情報は、個々の使用者の嗜好が反映されている。
【００８９】
第１比較部５２では、各予約情報同士が比較され、一致している番組の数が一定以上の他の予約情報が選出される。即ち、類似している他の予約情報が選びだされる。そして、第２比較部５３では、選出された各予約情報に含まれる番組情報が比較される。そして、類似する他の予約情報の一部が抽出される。抽出された情報は、通信部５４を介して、レコーダ２０に出力される。従って、サーバ５０を介して、嗜好が類似している他の使用者の予約情報を得ることができる。このことから、嗜好に合っているにも拘わらず、使用者が知らない番組に関する予約情報を得ることができる。
【００９０】
図５を参照して、サーバ５０から予約情報を得る方法を更に詳述する。
【００９１】
レコーダ２０には、使用者の嗜好が反映された番組情報が記録されている。ここでは、愛好番組および予約番組が番組情報に含まれている。愛好番組とは、使用者の嗜好が特に良く反映されている番組であり、予約番組とは予約が行われている番組である。
【００９２】
上記した番組情報は、インターネット等を経由してサーバ５０に送られる。サーバ５０には、多数の使用者が使用するレコーダから番組情報が送られる。ここで、図に示すレコーダ２０から送付されるものをＡさんの番組情報とし、他のレコーダから送付されるものをＢさん、Ｃさん、Ｄさん、Ｅさんの番組情報とする。
【００９３】
サーバ５０では、先ず、各番組情報に含まれる愛好番組同士を比較して、同様の愛好番組が含まれる番組情報を探し出す。即ち、Ａさんと嗜好が類似している使用者の番組情報を検索する。
【００９４】
具体的には、Ａさんの愛好番組には、番組２、３、５が含まれている。そして、Ｂさん〜Ｅさんの各々の愛好番組も、複数の番組が含まれている。ここでは、その人の愛好番組が、Ａさんの愛好番組と３つ以上一致したら、その人の嗜好がＡさんと類似していると判断している。従って、愛好番組の中に「２、３、５」を含むＢさん、Ｄさん、Ｅさんの嗜好が、Ａさんに類似していることになる。Ｃさんの愛好番組は、「１、４、６、７」であり、Ａさんの嗜好番組と全く異なるので、ＣさんはＡさんとは嗜好が全く異なると判断される。結果、Ａさんに嗜好が類似する使用者として、Ｂさん、Ｄさん、Ｅさんが選出される。
【００９５】
次に、各使用者の予約情報を比較し、Ａさんが所有せず且つ他の使用者が所有する予約情報を抽出する。
【００９６】
Ａさんは、レコーダ２０の内部に図示するように、予約番組として予約情報１、２、１０、２０を有する。
【００９７】
それに対してＢさんは、予約番組として予約情報１、２、１１、２０を有する。Ｄさんは予約情報１、３、１０、２０を有する。Ｅさんは予約情報１、４、１０、２０を有する。Ｂさんの予約情報１１、Ｄさんの予約情報３、Ｅさんの予約情報４は、Ａさんが所有しない情報である。そして、これらの予約情報１１、３、４は、Ａさんのレコーダ２０にサーバ５０から送信される。
【００９８】
レコーダ２０では、予約情報４、３、１１が推薦番組として、予約番組に追加される。そして、推薦番組が追加された新たな予約番組に従って、レコーダ２０は番組の録画を行う。
【００９９】
また、サーバの内部に類似した使用者の情報が無い場合は、サーバ５０が他のサーバに問い合わせるように構成したらよい。このようにすることで、複数のサーバに保存された多数の使用者の情報を活用することができる。
【０１００】
また、複数のサーバから成るネットワークを用いて、番組情報の検索を行う場合は、複数のサーバへの問い合わせを行う「情報仲介者サーバ」を用いるようにしても良い。
【０１０１】
情報仲介者サーバを用いた場合は、レコーダ２０は、先ず情報仲介者サーバにて番組情報を検索する。そして、情報仲介者サーバにて嗜好が類似する情報が検出されなかった場合は、情報仲介者サーバが他のサーバに問い合わせる。情報仲介者サーバは、使用者の嗜好に類似した番組情報が検出されるまで、サーバへの問い合わせを行う。
【０１０２】
そして、使用者の嗜好に類似した番組情報がサーバに検出され、その結果が有効であれば、情報仲介者サーバにも、使用者の番組情報と、サーバに保存されていた番組情報が登録される。そして、次回の検索からは、情報仲介者サーバに保存された情報が用いられるので、検索に係る時間を短縮することができる。一方、上記結果が有効で無い場合は、情報仲介者に保存された番組情報が削除される。
【０１０３】
＜第４の実施の形態＞
本形態では、図６を参照して、他の形態のレコーダ２０を説明する。図６（Ａ）はレコーダ２０の電気的構成を示す図であり、図６（Ｂ）はファンクションと嗜好係数との関連を示す表であり、図６（Ｃ）は嗜好値の計算手法を示す表である。
【０１０４】
本形態では、レコーダ２０は、使用者の操作から番組の嗜好値を算出し、算出された嗜好値を基に、外部にて嗜好値が類似する他の使用者を検索する。更に、嗜好が類似する他の使用者が有する番組情報を取得し、この番組情報を用いて番組の録画を行うことができる。他の使用者が有する番組情報の取得方法等は、上記した第３の実施の形態と同様である。
【０１０５】
本形態のレコーダ２０の各部位の機能および動作を以下にて説明する。
【０１０６】
図６（Ａ）を参照して、本形態のレコーダ２０は、コマンドデコーダ６２と、タイマ６３と、視聴番組操作部６４と、視聴番組選択部６５と、嗜好度換算部６９と、嗜好値算出部６６と、通信部６７と、記録部６８とを具備する。更に、レコーダ２０の外部には、リモコン装置３０、操作キー６０、サーバ６１も設けられている。
【０１０７】
リモコン装置３０、操作キー６０およびサーバ６１は、所定の操作（ファンクション）を、レコーダ２０に指示する機能を有する。この機能としては、例えば、再生、停止、早送り再生、巻き戻し再生等がある。
【０１０８】
コマンドデコーダ６２は、レコーダ２０の内部に於いて、レコーダ２０の外部から指示された操作を示す信号を受け入れ、レコーダ２０内部の各部位を操作する機能を有する。
【０１０９】
視聴番組選択部６５および視聴番組操作部６４は、コマンドデコーダ６２の出力に応答して動作する。具体的には、視聴番組選択部６５は、コマンドデコーダ６２の指示により、使用者が視聴する番組を選択する。そして、視聴番組操作部６４は、選択された番組の、再生または早送り等の具体的な操作を行う。
【０１１０】
タイマ６３は、時間記録手段として機能し、選択された番組が、視聴番組操作部６４により操作されている経過時間を記録する。具体的には、視聴番組選択部６５により選択された番組が、再生された時間、早送り再生された時間、巻き戻し再生された時間等が、タイマ６３により記録される。記録された時間情報は、嗜好値を演算するために、嗜好値算出部６６に送られる。
【０１１１】
嗜好度換算部６９は、視聴番組操作部６４により選択された各機能を、嗜好の度合いを示す嗜好係数に換算する機能を有する。例えば図６（Ｂ）を参照して、再生、停止、早送り再生、巻き戻し再生は、各々が、「１」、「０」、「２」、「２」に換算される。換算された嗜好係数は、嗜好値算出部６６に送られる。
【０１１２】
嗜好値算出部６６では、各番組毎に、嗜好値を算出する。具体的には、嗜好度換算部６９により得られた嗜好係数に、タイマ６３により得られた経過時間と乗することにより嗜好値を算出する。従って、例えば、番組Ａの再生を３０分行った場合は、再生を示す嗜好係数「１」に、再生された時間「３０」を乗し、嗜好値は「３０」となる。
【０１１３】
そして、この嗜好値に基づいて、通信部６７を介して、外部にて嗜好の類似する他者を検索し、その番組情報を得る。得られた番組情報を基に番組が記録部６８に記録される。本形態によると、番組毎に算出された嗜好値を用いて、嗜好が類似した他者の番組情報を入手し、この番組情報に基づいて番組の記録を行うので、使用者の嗜好がより良く反映された番組の記録を行うことができる。
【０１１４】
更に、上記嗜好値を、番組の長さで除することにより、嗜好値を正規化してその精度を向上させることができる。
【０１１５】
図６（Ｃ）を参照して、本形態では、上記処理により算出された嗜好値を、最後に算出させた嗜好値に加算することにより、嗜好値を累積させている。このことにより、使用者の嗜好が更に反映された嗜好値を得ることができる。ここでは、最後に算出された嗜好値をラスト嗜好値と表現している。
【０１１６】
具体的には、例えば番組Ｃに関して、３０分再生が行われた場合は、新たに算出された嗜好値「３０」をラスト嗜好値「１００」に加算して、嗜好値「１３０」を得る。また、番組Ｂについては、早送り再生が４分行われることにより嗜好値「８」が得られ、この嗜好値「８」がラスト嗜好値「９５」に加算され、嗜好値「１０３」が得られる。更に、番組Ｄに関しては、再生が１０分行われることにより、嗜好値「１０」が得られ、この嗜好値「１０」がラスト嗜好値「８０」に加算されて、嗜好値「９０」が得られる。
【０１１７】
上記した嗜好値の計算（更新）は、レコーダ２０の内部で行われても良いし、外部に位置するサーバや、リモコン装置等で行われても良い。
【０１１８】
更にまた、上記した嗜好係数換算部６９では、使用者の脈拍や血圧を考慮して、嗜好係数を換算することもできる。この場合に於いては、先ず、番組が操作されている間に、使用者の脈拍や血圧が測定される。更に、脈拍または血圧が所定の値を超えた時間を記録し、この時間が考慮されて嗜好係数が算出される。
【図面の簡単な説明】
【０１１９】
【図１】（Ａ）は本発明の画像記録装置の一例を示す図であり、（Ｂ）は表示部の拡大図である。
【図２】（Ａ）は本発明の実施例のリモコン装置およびレコーダ装置の構成を示す図であり、（Ｂ）は番組情報の構成を示す図である。
【図３】本発明の実施例のリモコン装置およびレコーダ装置の構成を示す図である。
【図４】本発明の実施例のレコーダおよびサーバの構成を示す図である。
【図５】本発明の実施例のレコーダおよびサーバの構成を示す図である。
【図６】（Ａ）本発明の画像記録装置の一例を示す図であり、（Ｂ）は嗜好係数の換算表であり、（Ｃ）は嗜好値の算出方法を示す表である。
【図７】従来の録画装置の一例を示す図である。
【符号の説明】
【０１２０】
１０            モニタ
２０            レコーダ
２１            第１通信部
２２            記憶部
２３            制御部
２４            第２通信部
３０            リモコン装置
３１            表示部
３２            リモコン操作部
３３            操作監視部
３４            嗜好判定部
３５            通信部
３６            番組記憶部
３７            分類部
５０            サーバ
５１            情報記憶部
５２            第１比較部
５３            第２比較部
５４            通信部
６０            操作キー
６１            サーバ
６２            コマンドデコーダ
６３            タイマ
６４            視聴番組操作部
６５            視聴番組選択部
６６            嗜好度算出部
６７            通信部
６８            記録部
６９            嗜好度換算部
【図１】
2007116249.tif 000003
【図２】
2007116249.tif 000004
【図３】
2007116249.tif 000005
【図４】
2007116249.tif 000006
【図５】
2007116249.tif 000007
【図６】
2007116249.tif 000008
【図７】
2007116249.tif 000009